(57)【要約】      （修正有）【課題】複数本のエレベータロープにおける張力を、従来よりも良好に均等化させることができるエレベータロープ支持装置及び支持機構を提供する。【解決手段】エレベータロープ支持装置は、第１揺動部材３２と第２揺動部材３３と第３揺動部材３４と複数の揺動球体３５とを備える。第１揺動部材は、第１揺動中心軸を中心として揺動自在に設けられたシーソー状の部材である。第２揺動部材及び第３揺動部材は、第１揺動部材の両端部にて、第２揺動中心軸及び第３揺動中心軸を中心としてそれぞれ揺動自在に支持されている。揺動球体は、鼓状の部材であって、第２揺動中心軸及び第３揺動中心軸に設けられた揺動球体収容部３６内に収容されることで任意の方向に揺動自在に設けられている。揺動球体には、略円筒状の貫通孔が設けられている。この貫通孔は、一端部がエレベータロープＲと結合されたロープ固定ロッド４における他端部を貫通可能に形成されている。【選択図】図１
0003187097.tif 000002
【実用新案登録請求の範囲】
【請求項１】
複数本のエレベータロープを支持するように構成された、エレベータロープ支持装置であって、
第１揺動中心軸を中心として揺動自在に設けられたシーソー状の部材であって、前記第１揺動中心軸と略直交する長手方向を有する、第１揺動部材と、
前記第１揺動部材の前記長手方向における一端部にて第２揺動中心軸を中心として揺動自在に支持された厚板状部材であって、当該厚板状部材における厚さ方向に貫通するように形成された鼓状の空間であって前記厚さ方向における両端の一対の開口部の間に形成された球面状の内面を有する揺動球体収容部が前記第２揺動中心軸を挟んだ両側にてそれぞれ形成された、第２揺動部材と、
前記第１揺動部材の前記長手方向における他端部にて第３揺動中心軸を中心として揺動自在に支持された厚板状部材であって、前記揺動球体収容部が前記第３揺動中心軸を挟んだ両側にてそれぞれ形成された、第３揺動部材と、
前記揺動球体収容部における前記内面に対応する球面状の外面を有していて前記揺動球体収容部内に収容されることで当該揺動球体収容部内にて任意の方向に揺動自在に設けられた鼓状の部材であって、一端部が前記エレベータロープと結合された棒状部材であるロープ固定ロッドにおける他端部を貫通可能な略円筒状の貫通孔が形成された、複数の揺動球体と、
を備えたことを特徴とする、エレベータロープ支持装置。
【請求項２】
前記揺動球体は、前記外面が前記揺動球体収容部における前記内面と摺動するように、前記揺動球体収容部に収容されたことを特徴とする、請求項１に記載のエレベータロープ支持装置。
【請求項３】
複数本のエレベータロープを、各々における張力を調整しつつ支持するように構成された、エレベータロープ支持機構であって、
一端部が前記エレベータロープと結合された棒状部材であって、異なる２種類のネジ山を有する雄ネジ部が他端部に形成された、ロープ固定ロッドと、
第１揺動中心軸を中心として揺動自在に設けられたシーソー状の部材であって、前記第１揺動中心軸と略直交する長手方向を有する、第１揺動部材と、
前記第１揺動部材の前記長手方向における一端部にて第２揺動中心軸を中心として揺動自在に支持された厚板状部材であって、当該厚板状部材における厚さ方向に貫通するように形成された鼓状の空間であって前記厚さ方向における両端の一対の開口部の間に形成された球面状の内面を有する揺動球体収容部が前記第２揺動中心軸を挟んだ両側にてそれぞれ形成された、第２揺動部材と、
前記第１揺動部材の前記長手方向における他端部にて第３揺動中心軸を中心として揺動自在に支持された厚板状部材であって、前記揺動球体収容部が前記第３揺動中心軸を挟んだ両側にてそれぞれ形成された、第３揺動部材と、
前記揺動球体収容部における前記内面に対応する球面状の外面を有していて前記揺動球体収容部内に収容されることで当該揺動球体収容部内にて任意の方向に揺動自在に設けられた鼓状の部材であって、前記ロープ固定ロッドにおける前記他端部を貫通可能な略円筒状の貫通孔が形成された、複数の揺動球体と、
前記２種類のネジ山のうちの一方に螺合する雌ネジ部を有し、前記ロープ固定ロッドにおける前記他端部を前記揺動球体における前記貫通孔に挿通した状態で当該他端部に螺着される、第１ロックナットと、
前記２種類のネジ山のうちの他方に螺合する雌ネジ部を有し、前記ロープ固定ロッドにおける前記他端部を前記揺動球体における前記貫通孔に挿通した状態で当該他端部に螺着される、第２ロックナットと、
を備えたことを特徴とする、エレベータロープ支持機構。
【請求項４】
前記揺動球体は、前記外面が前記揺動球体収容部における前記内面と摺動するように、前記揺動球体収容部に収容されたことを特徴とする、請求項３に記載のエレベータロープ支持機構。
【考案の詳細な説明】
【技術分野】
【０００１】
本考案は、複数本のエレベータロープを支持するように構成された、エレベータロープ支持装置及びエレベータロープ支持機構に関する。
【背景技術】
【０００２】
この種の考案として、例えば、特開２００６−８９２５９号公報や特開２００７−８４１９５号公報に開示されたものが知られている。
【先行技術文献】
【特許文献】
【０００３】
【特許文献１】特開２００６−８９２５９号公報
【特許文献２】特開２００７−８４１９５号公報
【考案の概要】
【考案が解決しようとする課題】
【０００４】
周知の通り、エレベータロープは、温度変化や経年変化により伸縮する。よって、複数本のエレベータロープにおける張力を均等化させる必要がある。この点、従来技術においては、まだまだ改善の余地があった。
【０００５】
本考案は、上述した事情等に鑑みてなされたものである。すなわち、本考案の目的は、複数本のエレベータロープにおける張力を、従来よりも良好に均等化させることができる構成を提供することにある。
【課題を解決するための手段】
【０００６】
本考案のエレベータロープ支持装置は、複数本のエレベータロープを支持するように構成されている。具体的には、前記エレベータロープ支持装置は、第１揺動部材と、第２揺動部材と、第３揺動部材と、複数の揺動球体と、を備えている。また、本考案のエレベータロープ支持機構は、前記エレベータロープ支持装置の構成を備えたものであって、複数本の前記エレベータロープを、各々における張力を調整しつつ支持するように構成されている。具体的には、前記エレベータロープ支持機構は、前記エレベータロープ支持装置の構成に加えて、ロープ固定ロッドと、第１ロックナットと、第２ロックナットと、を備えている。
【０００７】
前記第１揺動部材は、第１揺動中心軸を中心として揺動自在に設けられたシーソー状の部材であって、前記第１揺動中心軸と略直交する長手方向を有している。前記第２揺動部材及び前記第３揺動部材は、厚板状部材（あるいはブロック状部材）である。前記第２揺動部材は、前記第１揺動部材の前記長手方向における一端部にて第２揺動中心軸（例えば前記長手方向に沿った軸：具体的には前記長手方向と平行な軸）を中心として揺動自在に支持されている。前記第３揺動部材は、前記第１揺動部材の前記長手方向における他端部にて第３揺動中心軸（例えば前記長手方向に沿った軸：具体的には前記長手方向と平行な軸）を中心として揺動自在に支持されている。
【０００８】
前記第２揺動部材及び前記第３揺動部材には、揺動球体収容部が形成されている。前記揺動球体収容部は、前記第２揺動部材及び前記第３揺動部材を構成する厚板状部材における厚さ方向に貫通するように形成された鼓状（球体の中心を通る極軸方向における両端部を切除した形状：以下同様）の空間であって、前記厚さ方向における両端にて一対の開口部を有している。また、前記揺動球体収容部は、一対の前記開口部の間に形成された球面状の内面を有している。前記揺動球体収容部は、前記第２揺動部材における、前記第２揺動中心軸を挟んだ両側にそれぞれ設けられている。同様に、前記揺動球体収容部は、前記第３揺動部材における、前記第３揺動中心軸を挟んだ両側にてそれぞれ設けられている。
【０００９】
前記ロープ固定ロッドは、棒状部材であって、一端部が前記エレベータロープと結合されている。前記揺動球体は、鼓状の部材であって、前記揺動球体収容部における前記内面に対応する球面状の外面を有している。前記揺動球体は、前記揺動球体収容部内に収容されることで、当該揺動球体収容部内にて任意の方向に揺動自在に設けられている。具体的には、例えば、前記揺動球体は、前記外面が前記揺動球体収容部における前記内面と摺動するように、前記揺動球体収容部に収容されている。前記揺動球体には、略円筒状の貫通孔が設けられている。この貫通孔は、前記ロープ固定ロッドにおける他端部を貫通可能に形成されている。
【００１０】
前記ロープ固定ロッドにおける前記他端部には、異なる２種類のネジ山を有する雄ネジ部が形成されていてもよい。この場合、前記ロープ固定ロッドにおける前記他端部（前記雄ネジ部）は、前記揺動球体における前記貫通孔に挿通された状態で、前記第１ロックナットと前記第２ロックナットとが螺着されるようになっている。ここで、前記第１ロックナットは、前記２種類のネジ山のうちの一方に螺合する雌ネジ部を有している。また、前記第２ロックナットは、前記２種類のネジ山のうちの他方に螺合する雌ネジ部を有している。
【考案の効果】
【００１１】
上述の構成においては、前記第１揺動部材は、前記第１揺動中心軸を中心としてシーソー状に揺動自在である。また、前記第１揺動部材における両端部（自由端部）に固定された前記第２揺動部材及び前記第３揺動部材は、第２揺動中心軸及び前記第３揺動中心軸を中心として、それぞれ揺動自在である。さらに、前記第２揺動部材及び前記第３揺動部材における前記揺動球体収容部に収容された前記揺動球体は、前記ロープ固定ロッドにおける前記他端部を係止しつつ、任意の方向に揺動自在である。
【００１２】
したがって、本考案の構成によれば、温度変化や経年変化により前記エレベータロープが伸縮しても、前記第１揺動部材、前記第２揺動部材、前記第３揺動部材、及び複数の前記揺動球体が適宜揺動することで、張力の均等化が良好に図られる。
【図面の簡単な説明】
【００１３】
【図１】本考案の一実施形態に係るエレベータロープ支持機構の概略構成を示す斜視図。
【図２】図１に示されているエレベータロープ支持装置の概略構成を示す斜視図。
【図３】図２に示されている第２揺動部材や第３揺動部材の部分断面図。
【図４】図１に示されているロープ固定ロッドの端部の拡大図。
【考案を実施するための形態】
【００１４】
以下、本考案を具体化した一実施形態を、図１〜図４に基づいて説明する。なお、変形例は、当該実施形態の説明中に挿入されると首尾一貫した実施形態の説明の理解が妨げられるので、末尾にまとめて記載されている。
【００１５】
＜構成＞
本実施形態のエレベータロープ支持機構１は、複数本のエレベータロープＲを、各々における張力を調整しつつ支持するように構成されている。具体的には、エレベータロープ支持機構１は、支持板２と、エレベータロープ支持装置３と、ロープ固定ロッド４と、ワッシャ５と、第１ロックナット６と、第２ロックナット７と、を備えている。
【００１６】
支持板２は、例えば、図示しないエレベータガイドレール又は乗りかごに固定されている。支持板２には、エレベータロープＲ（ロープ固定ロッド４）の本数と同数のロッド挿通孔２１が、ロープ固定ロッド４の外径よりも充分大きな内径で形成されている。
【００１７】
エレベータロープ支持装置３は、シーソー固定部３１と、第１揺動部材３２と、第２揺動部材３３と、第３揺動部材３４と、揺動球体３５と、を備えている。シーソー固定部３１は、支持板２における、エレベータロープＲがロープ固定ロッド４から延出する方向とは反対側の面に固定されている。
【００１８】
シーソー固定部３１は、第１揺動中心軸Ｃ１を中心として第１揺動部材３２を揺動自在に支持するように構成されている。すなわち、第１揺動部材３２は、第１揺動中心軸Ｃ１を中心として揺動自在に設けられたシーソー状の部材であって、第１揺動中心軸Ｃ１と略直交する長手方向を有している。
【００１９】
第２揺動部材３３は、厚板状部材（あるいはブロック状部材）であって、第１揺動部材３２の長手方向における一端部にて、第２揺動中心軸Ｃ２（本実施形態においては上述の長手方向に沿った軸：具体的には当該長手方向と平行な軸）を中心として揺動自在に支持されている。同様に、第３揺動部材３４は、厚板状部材（あるいはブロック状部材）であって、第１揺動部材３２の長手方向における他端部にて、第３揺動中心軸Ｃ３（本実施形態においては上述の長手方向に沿った軸：具体的には当該長手方向と平行な軸）を中心として揺動自在に支持されている。
【００２０】
揺動球体３５は、鼓状（球体の中心を通る極軸方向における両端部を切除した形状：以下同様）の部材であって、球面状の外面３５ａを有している。揺動球体３５には、略円筒状の貫通孔３５ｂが設けられている。貫通孔３５ｂは、ロープ固定ロッド４における、後述する雄ネジ部４１が形成された端部を貫通（挿通）可能に形成されている。
【００２１】
揺動球体収容部３６は、揺動球体３５を揺動自在に収容するための鼓状の空間である。揺動球体収容部３６は、第２揺動部材３３における、第２揺動中心軸Ｃ２を挟んだ両側にそれぞれ設けられている。同様に、揺動球体収容部３６は、第３揺動部材３４における、第３揺動中心軸Ｃ３を挟んだ両側にてそれぞれ設けられている。
【００２２】
本実施形態においては、第２揺動部材３３は、平面視（第２揺動中心軸Ｃ２を含み支持板２と平行な平面の法線方向に沿って見た場合：以下同様）にて略棒状に形成されている。このため、第２揺動部材３３においては、揺動球体収容部３６は、第２揺動中心軸Ｃ２を挟んで一対（１つずつ）設けられている。一方、第３揺動部材３４は、平面視にて略三角形状に形成されている。このため、揺動球体収容部３６は、第３揺動部材３４の略三角形状における各角部に対応する位置にて、合計３つ設けられている。
【００２３】
揺動球体収容部３６における内面３６ａは、揺動球体３５における上述の球面状の外面３５ａに対応する球面状に形成されている。すなわち、揺動球体３５は、揺動球体収容部３６内に収容された状態で、ガタつかずに外面３５ａと内面３６ａとが互いに摺動することで、揺動球体収容部３６内にて任意の方向に揺動自在に設けられている。具体的には、外面３５ａの外径と内面３６ａの内径とは、所定の嵌め合い交差（例えばＨ７あるいはｈ７）となるように設定されている。
【００２４】
揺動球体収容部３６は、第２揺動部材３３や第３揺動部材３４を構成する厚板状部材における厚さ方向に貫通するように形成されている。すなわち、揺動球体収容部３６は、上述の厚さ方向における両端にて、一対の開口部３６ｂ及び３６ｃを有している。開口部３６ｂは、シーソー固定部３１とは反対側（すなわち雄ネジ部４１が突出して第１ロックナット６及び第２ロックナット７が設けられる側）に設けられている。そして、内面３６ａは、一対の開口部３６ｂ及び３６ｃの間に形成されている。
【００２５】
開口部３６ｂは、開口部３６ｃよりも若干大きめの内径で形成されている。具体的には、開口部３６ｂは、第２揺動部材３３や第３揺動部材３４をシームレスな塊状に一体成形した場合に、揺動球体３５を図３に示されている姿勢から９０度回転させて「横向き」にすることで揺動球体３５を揺動球体収容部３６に対して容易に出し入れできるように、揺動球体３５の図３における高さ（すなわち貫通孔３５ｂの軸方向における長さ）よりも若干広い内径に形成されている（なお、これに対応して、揺動球体３５における外面３５ａには、揺動球体収容部３６に対する出し入れを容易にするために、適宜切り欠き部等が設けられ得る。）。
【００２６】
ロープ固定ロッド４は、棒状部材であって、一端部がエレベータロープＲと結合されている。ロープ固定ロッド４における他端部には、雄ネジ部４１が設けられている。雄ネジ部４１には、異なる２種類のネジ山４１ａ、４１ｂが形成されている。ネジ山４１ａ、４１ｂは、互いに螺着方向（螺着時のナット回転方向）が同一である一方、それぞれ異なるピッチに形成されている。
【００２７】
ロープ固定ロッド４における雄ネジ部４１は、揺動球体３５における貫通孔３５ｂに挿通された状態で、ワッシャ５、第１ロックナット６、及び第２ロックナット７が装着されることで、揺動球体３５に係止されている。ワッシャ５は、ロープ固定ロッド４の外径よりも若干大きな内径を有するリング状の部材であって、揺動球体３５と第１ロックナット６との間にて挟持されるように設けられている。第１ロックナット６は、２種類のネジ山のうちの一方に螺合する雌ネジ部を有していて、ワッシャ５を揺動球体３５に当接させるように雄ネジ部４１に螺着されている。第２ロックナット７は、２種類のネジ山のうちの他方に螺合する雌ネジ部を有していて、第１ロックナット６に当接するように雄ネジ部４１に螺着されている。
【００２８】
＜作用・効果＞
以下、本実施形態の構成による作用・効果について、各図面を参照しつつ説明する。
【００２９】
上述の構成においては、第１揺動部材３２は、第１揺動中心軸Ｃ１を中心としてシーソー状に揺動自在である。また、第１揺動部材３２における両端部（自由端部）に固定された第２揺動部材３３及び第３揺動部材３４は、第１揺動中心軸Ｃ１と交差する（具体的には略直交する）第２揺動中心軸Ｃ２及び第３揺動中心軸Ｃ３を中心として、それぞれ揺動自在である。さらに、第２揺動部材３３及び第３揺動部材３４における揺動球体収容部３６に収容された複数の揺動球体３５は、ロープ固定ロッド４における端部（雄ネジ部４１）を係止しつつ、それぞれ任意の方向に揺動自在である。
【００３０】
したがって、本実施形態の構成によれば、温度変化や経年変化によりエレベータロープＲが伸縮しても、第１揺動部材３２、第２揺動部材３３、第３揺動部材３４、及び複数の揺動球体３５が適宜揺動することで、張力の均等化が良好に図られる。具体的には、図１に示されているように、ワッシャ５と揺動球体３５との間にコイルスプリングが設けられていなくても、エレベータロープＲにおける張力の均等化が良好に図られる。
【００３１】
また、上述の構成においては、互いに螺着方向が同一である一方でそれぞれ異なるピッチの、２種類のネジ山４１ａ、４１ｂが、雄ネジ部４１に形成されている。そして、ロープ固定ロッド４は、これら２種類のネジ山４１ａ、４１ｂにそれぞれ対応した第１ロックナット６及び第２ロックナット７によって、エレベータロープ支持装置３（揺動球体３５）に係止される。したがって、かかる構成によれば、ロープ固定ロッド４の係止時の作業性を良好に維持しつつ、係止部分の確実な緩み止めが実現される。
【００３２】
＜変形例＞
以下、代表的な変形例について、幾つか例示する。以下の変形例の説明において、上述の実施形態にて説明されているものと同様の構成及び機能を有する部分に対しては、上述の実施形態と同様の符号が用いられ得るものとする。そして、かかる部分の説明については、技術的に矛盾しない範囲内において、上述の実施形態における説明が適宜援用され得るものとする。もっとも、言うまでもなく、変形例とて、以下に列挙されたものに限定されるものではない。また、複数の変形例の全部及び一部が、技術的に矛盾しない範囲内において、適宜、複合的に適用され得る。
【００３３】
本考案は、ワッシャ５と揺動球体３５との間にコイルスプリングが設けられた構成を除外するものではない。すなわち、複数の揺動球体３５のうちの全部又は一部に対して、コイルスプリングが設けられていてもよい。
【００３４】
第２揺動部材３３や第３揺動部材３４の揺動方向も、上述の具体的な態様に限定されない。すなわち、第２揺動中心軸Ｃ２と第３揺動中心軸Ｃ３とは、互いに平行であってもよいし、互いに交差していてもよい。また、第２揺動中心軸Ｃ２や第３揺動中心軸Ｃ３は、第１揺動部材３２の長手方向と交差（直交を含む）していてもよい。
【００３５】
あるいは、第２揺動部材３３や第３揺動部材３４は、いわゆる「ボールジョイント」を用いて、第１揺動部材３２に対して任意の方向に揺動自在に接続されていてもよい。この場合、第２揺動中心軸Ｃ２や第３揺動中心軸Ｃ３は、図２に示されている状態から歳差運動し得る。すなわち、この場合、第２揺動部材３３や第３揺動部材３４も、揺動球体３５と同様に、任意の方向に揺動し得る。
【００３６】
上述の実施形態においては、第２揺動部材３３と第３揺動部材３４とは、それぞれ異なる形状を有していた。しかしながら、本考案は、かかる態様に限定されない。具体的には、第２揺動部材３３と第３揺動部材３４とは、互いに同一の形状であってもよい。また、第２揺動部材３３や第３揺動部材３４の形状も、上述の棒状や三角形状に限定されない。すなわち、第２揺動部材３３や第３揺動部材３４は、平面視にてｎ角形状（ｎ≧３）であって、揺動球体収容部３６がｎ個設けられていてもよい。
【００３７】
上述のように、第２揺動部材３３や第３揺動部材３４の、平面視における形状は、エレベータロープＲの本数に応じて適宜選択され得る。同様に、第２揺動部材３３や第３揺動部材３４の、第１揺動部材３２への設置個数も、エレベータロープＲの本数に応じて適宜選択され得る。
【００３８】
第２揺動部材３３（第３揺動部材３４も同様である：以下同様）は、厚さ方向に分割可能に構成されていてもよい。この場合、例えば、第２揺動部材３３は、揺動球体収容部３６を構成する略半球状の凹部が形成された２枚の板状部材を、互いの凹部が対向し且つ当該凹部にて揺動球体３５を収容するように重ね合わせて、複数本のボルト等で締結したり溶接したりすることで構成され得る。かかる構成によれば、揺動球体３５に切り欠き部等を設けなくても、揺動球体収容部３６内に揺動球体３５を離脱不能に収容することが可能となる。
【００３９】
その他、特段に言及されていない変形例についても、本考案の本質的部分を変更しない範囲内において、本考案の技術的範囲に含まれることは当然である。また、本考案の課題を解決するための手段を構成する各要素における、作用・機能的に表現されている要素は、上述の実施形態や変形例にて開示されている具体的構成及びその均等物の他、当該作用・機能を実現可能ないかなる構成をも含む。
【符号の説明】
【００４０】
１…エレベータロープ支持機構、２…支持板、３…エレベータロープ支持装置、４…ロープ固定ロッド、５…ワッシャ、６…第１ロックナット、７…第２ロックナット、２１…ロッド挿通孔、３１…シーソー固定部、３２…第１揺動部材、３３…第２揺動部材、３４…第３揺動部材、３５…揺動球体、３５ａ…外面、３５ｂ…貫通孔、３６…揺動球体収容部、３６ａ…内面、３６ｂ…開口部、３６ｃ…開口部、４１…雄ネジ部、４１ａ…ネジ山、４１ｂ…ネジ山、Ｃ１…第１揺動中心軸、Ｃ２…第２揺動中心軸、Ｃ３…第３揺動中心軸、Ｒ…エレベータロープ。
【図１】
0003187097.tif 000003
【図２】
0003187097.tif 000004
【図３】
0003187097.tif 000005
【図４】
0003187097.tif 000006